(57)【要約】  モジュール本体２をソケット１２の収納部１３に収納する。モジュール本体２は、電気回路部３と光素子６を備えた光接続部４とを基板５上に設けてなる回路モジュール７と、光接続部４に嵌合する光フェルール８とから成る。光接続部４に、上面が開口の嵌合部９を設ける。光フェルール８を光素子６に対して位置合わせする嵌合部９の基準面を、基板面方向は側面９ａ，９ｂ，９ｅおよび奥側面９ｄとし、基板５の垂直方向は底面９ｃとする。蓋部１４のモジュール本体２に対向する面に、回路モジュール７と光フェルール８を付勢する付勢手段１１を設ける。嵌合部９に光フェルール８を載置した状態のモジュール本体２を収納部１３に収納した状態で蓋部１４を閉じることにより、光フェルール８を嵌合部９の底面方向に付勢して底面９ｃと当接した状態に嵌合し、光フェルール８と光素子６とを位置合わせする。
2010095312.tif 000002
【特許請求の範囲】
【請求項１】
基板の上面に形成された電気回路部と、該電気回路部に電気接続された光素子を備えて前記基板の上面に設けられた光接続部と、を備えた回路モジュールと、前記光素子に光接続される光伝送路の一端側が固定され、前記光接続部に嵌合する光フェルールと、からなるモジュール本体と、該モジュール本体を収納する収納部と、該収納部に収納された前記回路モジュールを覆う蓋部と、からなるソケットと、を有する光伝送モジュールであって、
前記光フェルールを前記光接続部に嵌合して前記光素子と前記光伝送路とを光結合するために前記光接続部の上面に開口する嵌合部を設け、該嵌合部の側面を、前記光フェルールを前記光素子に対して前記基板の面内方向に位置合わせするための基準面とし、また、前記嵌合部の底面を、前記光フェルールを前記光素子に対して前記基板の垂直方向に位置合わせするための基準面とすると共に、
前記蓋部の前記モジュール本体に対向する面に前記回路モジュールおよび前記光フェルールを付勢する付勢手段を設け、前記嵌合部に前記光フェルールを載置した状態の前記モジュール本体を前記収納部に収納した状態で前記蓋部を閉じることによって前記光フェルールを前記嵌合部の底面方向に付勢して底面と当接した状態に嵌合し、前記光フェルールと前記光素子とを位置合わせしたことを特徴とする光伝送モジュール。
【請求項２】
蓋部は、該蓋部に設けた係止部と、収納部に設けた軸部とを枢支して片開き式に回動する構造となし、前記蓋部の回動基端側と対向させて光接続部が、また、前記蓋部の回動先端側と対向させて光フェルールが配置されるようにモジュール本体を収納部に収納すると共に、突起形状によって付勢手段を形成し、該付勢手段の突起形状の突き出し量を前記蓋部の回動基端側に比べて回動先端側を大きく形成し、前記蓋部を閉じると前記付勢手段の回動先端側が最初に前記光フェルールに当接した後に付勢し続けて、前記光フェルールを嵌合部の底面に圧接し、光伝送路と光素子とを光結合したことを特徴とする請求項１記載の光伝送モジュール。
【発明の詳細な説明】
【技術分野】
【０００１】
本発明は、光通信等に用いられる光伝送モジュールに関するものである。
【背景技術】
【０００２】
図８には、従来提案されている光伝送モジュールの一例が、模式的な断面図により示されている（特許文献１、参照。）。この光伝送モジュール５１は、光プラグ５０、テープファイバ５２、透明基板４０、光素子４２、電子回路４４、配線網４６、光接続部４８、レンズ２０，５４、反射部２２を有して構成されている。光接続部４８は、ガラスやプラスチック等の透明部材により形成されている。光接続部４８の端面は、例えば斜め４５度に切断されており、この切断によって反射部２２が形成されている。【０００３】
透明基板４０の表面側に、光プラグ５０が配置されている。光プラグ５０の一端側には、テープファイバ５２が接続されている。光プラグ５０の他端側には、光接続部４８が設けられている。一方、透明基板４０の裏面側には、電子回路４４と光素子４２が配置されている。電子回路４４と光素子４２とは、配線網４６を介して互いに電気的に接続されている。また、光素子４２は、発光面または受光面を有し、これらの面が、透明基板４０の裏面と対向する態様で配置されている。【０００４】
この光伝送モジュール５１において、例えば、光素子４２が発光面を有する面発光レーザの場合は、光素子４２から発するレーザ光が、透明基板４０を通り、レンズ２０を通って平行光となって光接続部４８に入射する。この光は、反射部２２で反射し、レンズ５４を介して集光されて、テープファイバ５２に入射する。なお、光素子４２が受光面を有する場合は、テープファイバ５２から出射した光が、前記レーザ光の経路と逆の経路を通して光素子４２に受光される。【０００５】
【特許文献１】特開２００６−２３７７７号公報
【発明の開示】
【発明が解決しようとする課題】
【０００６】
図８に示したような光伝送モジュール５１は、光接続部４８と光プラグ５０側のそれぞれに一体に設けられた２枚のレンズ２０，５４を有している。そして、レンズ２０を透過した信号光は、反射部２２に設けられた反射面によって反射する。そのため、この光伝送モジュール５１においては、反射による損失が生じる。また、レンズ２０，５４、反射部２２の配置精度を高くしないと、光素子４２とテープファイバ５２との光結合を良好に行うことができない。そのため、光伝送モジュール５１は、その製造が容易でない、といった問題があった。【０００７】
さらに、光伝送モジュール５１は、透明基板４０の裏面側に、光素子４２と電気回路４４を設けているために、嵩高になり、また、取り扱いに注意を要するといった問題もあった。
【課題を解決するための手段】
【０００８】
上記したような問題点を解決するために、本発明は、次に示す構成を有して構成されている。すなわち、本発明は、
基板の上面に形成された電気回路部と、該電気回路部に電気接続された光素子を備えて前記基板の上面に設けられた光接続部と、を備えた回路モジュールと、前記光素子に光接続される光伝送路の一端側が固定され、前記光接続部に嵌合する光フェルールと、からなるモジュール本体と、該モジュール本体を収納する収納部と、該収納部に収納された前記回路モジュールを覆う蓋部と、からなるソケットと、を有する光伝送モジュールであって、
前記光フェルールを前記光接続部に嵌合して前記光素子と前記光伝送路とを光結合するために前記光接続部の上面に開口する嵌合部を設け、該嵌合部の側面を、前記光フェルールを前記光素子に対して前記基板の面内方向に位置合わせするための基準面とし、また、前記嵌合部の底面を、前記光フェルールを前記光素子に対して前記基板の垂直方向に位置合わせするための基準面とすると共に、
前記蓋部の前記モジュール本体に対向する面に前記回路モジュールおよび前記光フェルールを付勢する付勢手段を設け、前記嵌合部に前記光フェルールを載置した状態の前記モジュール本体を前記収納部に収納した状態で前記蓋部を閉じることによって前記光フェルールを前記嵌合部の底面方向に付勢して底面と当接した状態に嵌合し、前記光フェルールと前記光素子とを位置合わせしたことを特徴とする。
【発明の効果】
【０００９】
本発明の光伝送モジュールは、ソケットの収納部内にモジュール本体を収納して形成されている。そのモジュール本体は、回路モジュールを構成する光接続部の嵌合部に、光伝送路の一端側を固定した光フェルールを簡単に嵌合できる構成と成している。なお、嵌合部は、光接続部の上面が少なくとも開口するように形成されている。また、回路モジュールは、電気回路部と、光素子を備えた光接続部とを、同一基板の表面側に形成して成るものである。光素子は、光の受光と発光の少なくとも一方の機能を有し、嵌合部に嵌合した光フェルールの光伝送路と光結合するように配置されている。【００１０】
そのため、回路モジュールと光フェルールとを嵌合したモジュール本体を低背化できる。そして、結果的に、光伝送モジュールが嵩高になることを防止し、低背化できる。また、本発明の光伝送モジュールは、従来設けていた２つのレンズが不要となるので、構成を簡素化できる。【００１１】
さらに、本発明の光伝送モジュールでは、光フェルールを嵌合部に嵌合して光素子と光伝送路を光結合する際に、嵌合部の側面を基板面内（水平方向）に位置合わせをする基準面と成している。また、光フェルールと光素子とを光結合する際に、嵌合部の底面を基板に対して垂直方向の位置合わせする基準面と成している。そして、ソケットの収納部を覆う蓋部のモジュール本体に対向する面には、回路モジュールと光フェルールを付勢する付勢手段が設けられている。したがって、光フェルールを嵌合部に落とし込んだ状態のモジュール本体をソケットの収納部に入れて蓋部を閉じると、付勢手段によって、光フェルールが嵌合部の底面に圧接されて密着し、基板に対して水平方向および垂直方向に位置決めされて光素子と光結合する。【００１２】
このように、本発明の光伝送モジュールは、光フェルールと嵌合部との嵌合により、容易に、かつ、正確に、光素子と光フェルールが光結合したモジュール本体を形成できると同時に、このモジュール本体をソケット内に収納できる。そして、ソケット内にモジュール本体を収納した状態とすることにより、持ち運び等の作業も行いやすく、取り扱いが容易となる。また、ソケットの収納部に設けた接続端子を介して、マザーボード（母基板）に直接実装することができる。【００１３】
さらに、本発明の光伝送モジュールでは、蓋部に設けた係止部と、収納部に設けた軸部とを枢支し、蓋部を片開き式に回動する構造とするとともに、蓋部の、モジュール本体と対向する面に設けた付勢手段は、蓋部の回動基端側に比べて回動先端側の突き出し量を大きく形成した。また、蓋部の回動基端側と対向させて、光接続部を、蓋部の回動先端側と対向させて光フェルールを配置するようにモジュール本体を収納部に収納する。したがって、蓋部を閉じると、付勢手段の回動先端側が光フェルールと最初に当接して押圧し、その後、付勢手段の回動基端側と共に、モジュール本体を押圧し、光フェルールを嵌合部の底面に密着させる。したがって、光伝送モジュールの組み立てが非常に容易、かつ、正確にできる。
【図面の簡単な説明】
【００１４】
【図１ａ】本発明に係る光伝送モジュールの一実施例を構成するモジュール本体を示す模式的な斜視図である。
【図１ｂ】実施例の光伝送モジュールを構成するソケットを示す模式的な斜視図である。
【図１ｃ】実施例の光伝送モジュールを説明するための模式的な斜視図である。
【図２ａ】実施例の光伝送モジュールを説明するための模式的な断面図である。
【図２ｂ】実施例の光伝送モジュールを説明するための模式的な断面図である。
【図３ａ】図１ａに示すモジュール本体を形成する回路モジュールを説明するための模式的な分解斜視図である。
【図３ｂ】図１ａに示すモジュール本体を説明するための模式的な斜視図である。
【図３ｃ】図３ｂに示すモジュール本体における光接続部を説明するための平面図である。
【図４】ソケットの形成形態例を示す模式的な分解斜視図である。
【図５】本発明に係る光伝送モジュールの他の実施例を説明するための模式的な分解斜視図である。
【図６】本発明に係る光伝送モジュールのさらに他の実施例を説明するための模式的な分解斜視図である。
【図７ａ】ソケットの別の形成形態例を示す模式的な分解斜視図である。
【図７ｂ】図７ａに示したソケットの形成形態例において蓋部を途中まで閉めた状態を示す模式的な斜視図である。
【図７ｃ】図７ａに示したソケットの形成形態例において蓋部を閉めた状態を示す模式的な斜視図である。
【図７ｄ】図７ａに示したソケットの形成形態例の蓋部を説明するための模式的な断面である。
【図８】光伝送モジュールの一従来例を説明するための図である。
【符号の説明】
【００１５】
１  光伝送モジュール
２  モジュール本体
３  電気回路部
４  光接続部
５  基板
６  光素子
７  回路モジュール
８，３８，４７  光フェルール
９  嵌合部
１０  サブマウント
１２  ソケット
１３  収納部
１４  蓋部
１５  電気端子
【発明を実施するための最良の形態】
【００１６】
以下に、本発明に係る実施例を図面に基づき説明する。【００１７】
図ｌａ、図1ｂ、図１ｃ、図２ａ、図２ｂを用いて、本発明に係る光伝送モジュールの一実施例を説明する。光伝送モジュール1は、図ｌａに示すモジュール本体２と、図ｌｂに示すソケット１２とから組み立てられ、図ｌｃに光伝送モジュール1の模式的な斜視図を示す。なお、図２ｂは、図ｌｃの斜視図におけるＡ−Ａ線により切断した場合の模式的な断面図である。【００１８】
本実施例の光伝送モジュール１は、モジュール本体２を、ソケット１２の収納部１３内に収納して形成されるものである。ソケット１２は、収納部１３と、その蓋部１４とからなり、図４に、その分解斜視図を示す。なお、ソケット１２は、例えば金属や樹脂により形成される。【００１９】
蓋部１４は、収納部１３の上部側に設けられており、収納部１３内に収納されたモジュール本体２を覆う。蓋部１４は、該蓋部１４に設けた係止部３０と収納部１３に設けた軸部２９とを枢支することによって片開き式に回動する構造となしている。また、蓋部１４には、その回動先端部に爪部３１が設けられる。爪部３１は、収納部１３に設けた爪係止部３２に係止する。【００２０】
図１ｂに示すように、収納部１３の内壁には、光伝送モジュール１をマザーボードに実装する際に用いる電気端子１５が植設されている。この例では、電気端子１５は、収納部１３の底面端縁に沿って、互いに間隔を介して複数設けられている。また、図２ａ、図２ｂに示すように、収納部１３の下面には、電気端子１５の先端部である、マザーホードと接続するためのバネ性を有する端子２５が突出している。【００２１】
図２ｂに示すように、モジュール本体２を構成する回路モジュール７の基板５の裏面側が、ソケット１２の収納部１３の底面と密着する態様と成している。基板５の裏面側には、接続用パッド（図示せず）が設けられている。この接続用パッドが収納部１３の前記電気端子１５に接続され、それにより、前記電気回路部３が、電気端子１５に電気的に接続される。【００２２】
モジュール本体２は、図３ｂに示すように、回路モジュール７と、光フェルール８とを接続して形成されている。回路モジュール７は、図３ａに示すように、電気回路部３と、光接続部４とを、同一の基板５の表面側に形成して成る。電気回路部３は、例えば、ＩＣチップ１８や受動部品１６等の電子部品で構成される。ＩＣチップ１８は、送信ＩＣまたは受信ＩＣであり、受動部品１６は、コンデンサ、抵抗器、コイル等である。これらの電子部品は、絶縁性樹脂をモールドして形成されたカバー部材２４により覆われている。【００２３】
光接続部４は、セラミックや樹脂で形成されたサブマウント１０と、このサブマウント１０に隣接して形成されたフェルール固定部１９とから構成される。また、図２ａ、図２ｂおよび、図３ｃに示すように、光接続部４には、電気回路部３に電気接続される光素子６が設けられている。光素子６は、図１ａ、図３ａ、図３ｂには図示されていない。なお、光素子６は、光フェルール８の先端面８ａと対向するサブマウント１０の壁面に取り付けられて、フェルール固定部１９を形成する透明樹脂中に埋設されている。【００２４】
光素子６は、光の受光と発光の少なくとも一方の機能を有している。図３ｃに示すように、光素子６の機能面（光の受光面または発光面）２３が光フェルール８の先端面８ａと光結合するように、嵌合部９側に向けて配置されている。なお、光素子６の例として、面発光レーザ等の発光素子や、フォトダイオード等の受光素子があげられる。【００２５】
フェルール固定部１９を形成する透明樹脂は、例えば、屈折率が１．４から１．６の範囲内に形成されている。この屈折率の値は、光ファイバのコアの屈折率の値とほぼ同じ値である。光ファイバ２１は、フェルール固定部１９の透明性樹脂を介して、光素子６に光接続されるものである。前記のように、透明性樹脂の屈折率と光ファイバ２１の屈折率とを同じ値とすることにより、透明性樹脂と光ファイバ２１との接続面における反射を低減できる。【００２６】
なお、フェルール固定部１９は、必ずしも透明性樹脂によって全部形成されるとは限らない。少なくとも、光素子６から発する光や光素子６により受光される光が通る部分（例えば図３ｃのＳに示されるような領域）が、透明の（光透過性を有する）ものであればよい。【００２７】
フェルール固定部１９には、上面が開口し、その開口形状が十字形の嵌合部９が形成されている。嵌合部９には、光フェルール８を光素子６と光結合させるための、基板５の面内方向（水平方向）に位置合わせをする基準面が形成されている。この基準面は、嵌合部９の内壁の側面９ａ，９ｂおよび、これらの面と隣り合う側面９ｅならびに、嵌合部９の奥側面９ｄである。側面９ａと側面９ｂが水平面内の横方向の基準面となる。側面９ｅと奥側面９ｄとは、水平面内の縦方向の基準面となる。さらに、嵌合部９の底面（嵌合底面）９ｃは、光素子６と光フェルール８を光結合させるための、基板５に対して垂直方向に位置あわせする基準面と成している。側面９ａ，９ｂ，９ｅは、それぞれ斜めに形成され、基板５の表面と鈍角をなす。また、奥側面９ｄは、光フェルール８の先端面８ａと対向するため、光の反射を抑制するためだけではなく、水平方向の基準面として利用するため、斜めに形成されて、基板５の表面と鈍角をなす。【００２８】
光フェルール８の先端面８ａは、奥側面９ｄの角度に合わせ、両者が密着して嵌合するように、また、光の反射を抑制するように、斜めに形成される。光フェルール８の先端面８ａと下面とは、通常、約９３度から９８度程度の鈍角をなし、光フェルール８の先端面８ａと基板５の表面は鋭角をなす。（図２ｂ、参照）。光フェルール８には、光伝送路としての光ファイバ２１の一端側が固定され、光フェルール８の先端面８ａと前記光接続部４とが光結合している。【００２９】
光フェルール８は、水平方向に張り出した鍔部２８を有しており、鍔部２８の側面２８ａ，２８ｂと鍔部２８の下面とは鈍角を成す。鍔部２８の左側の側面２８ａは、嵌合部９の側面９ａに密着するように斜めに形成されている。鍔部２８の右側の側面２８ｂは、嵌合部９の側面９ｂに密着するように斜めに形成されている。また、鍔部２８の対向する側面２８ｅは、それぞれ、対応する側面９ｅに密着するように斜めに形成されている。【００３０】
図２ａ、図２ｂに示すように、蓋部１４の回動基端側と対向させて、回路モジュール７の光接続部４が配置され、また、蓋部１４の回動先端側と対向させて、光フェルール８が配置されるように、モジュール本体２が収納部１３に収納される。収納部１３には、光フェルール８の光ファイバ２１が挿入された側面８ｆと対向する位置に、光ファイバ２１を引き出すための切り欠き４１が設けられている。【００３１】
蓋部１４のモジュール本体２に対向する面には、回路モジュール７と光フェルール８を付勢する付勢手段１１（１１ａ，１１ｂ）が設けられている。これらの付勢手段１１は、例えばエラストマー材料により形成された弾性を有する板部材である。付勢手段１１は、蓋部１４の回動基端側と回動先端側の２カ所に、収納部１３側に突き出して設けられている。回動先端側の付勢手段１１ａの突き出し量（厚み）は、回動基端側の付勢手段１１ｂの突き出し量よりも大きく形成されている。【００３２】
光フェルール８を嵌合部９に落とし込んだ状態のモジュール本体２を収納部１３に収める。その後、蓋部１４を閉じると、付勢手段１１ａが最初に光フェルール８に当接した後に付勢し続けるとともに、付勢手段１１ｂも光接続部４に当接する。そして、付勢手段１１ａと付勢手段１１ｂとで、本体モジュール２を収納部１３の底面に押しつける。この結果、光フェルール８は嵌合部９の底面９ｃに圧接されて両者が嵌合し、光ファイバ２１と光素子６とが光結合する。つまり、蓋部１４が閉じることにより、光フェルール８が付勢手段１１によって押圧されて嵌合部９の底面９ｃと当接した状態で嵌合し、光フェルール８と光素子６とが位置決めされる。【００３３】
なお、本発明は、前記実施例の形態に限定されるものではなく、様々な実施の形態を採り得る。例えば、前記実施例では、光フェルール８は、光ファイバ２１の一端側を固定して形成されていたが、光導波路の一端側を固定したものでもよい。【００３４】
また、本発明の光伝送モジュールに設けられているモジュール本体２を構成する光接続部の嵌合部の形状と、それと嵌合する光フェルールの形状は、特に限定されるものでない。例えば、図５および図６に、嵌合部と光フェルールの他の形状を示す。【００３５】
図５において、光接続部３４は、光フェルール３８の先端面３８ａと対向する光接続部３４の側面の中央に凸部３３を設けて形成されている。嵌合部３９は、側面３９ａ，３９ｂ，３９ｄ，３９ｆと基板５の表面（嵌合部３９の底面３９ｃ）とにより形成された空間を有している。側面３９ａ、３９ｂ，３９ｄ，３９ｆは、それぞれ、底面３９ｃと鈍角をなす。この例では、嵌合部の側面３９ａ，３９ｂ，３９ｄ，３９ｆが、光フェルール３８を光素子６に対して水平方向に位置合わせをする基準面と成している。側面３９ａと側面３９ｂが水平面内の横方向の基準面となる。側面３９ｄと側面３９ｆが、水平面内の縦方向の基準面となる。【００３６】
光フェルール３８は、先端面の中央に凹部３７を設けてコ形状に形成され、この凹部３７が前記凸部３３と嵌合する態様と成している。凹部３７の対向する側面３７ａ，３７ｂおよび、これらの側面３７ａ，３７ｂと隣り合う側面３７ｄは斜めに形成されている。側面３７ａ，３７ｂ，３７ｄと光フェルール３８の下面とは鈍角を成す。側面３７ａ，３７ｂは、嵌合部３９の側面３９ａ，３９ｂとそれぞれが最終的に密着するように斜めに形成されている。同様に、側面３７ｄは、嵌合部３９の側面３９ｆと密着するように斜めに形成され、両者は最終的に密着する。光フェルール３８の先端面３８ａは、嵌合部３９の側面３９ｄと密着するように斜めに形成され、両者は最終的に密着する。【００３７】
また、光フェルール３８の光ファイバ２１が挿入された側面３８ｆと下面とは鈍角を成すように斜めに形成される。このため、収納部１３に収納した回路モジュール７に、光フェルール３８を嵌合部３９に上から落とし込んで嵌合する際の動作がスムースとなる。【００３８】
また、図６において、光接続部６４は、断面形状が略凸字状の上面が開口した空間を有する嵌合部４５に、光フェルール４７を、その先端側から挿入する態様の例である。光フェルール４７は、その下端側が両側に突出しており、左右の側面に段部が形成されている。光フェルール４７の左側の上段の側面４７ａ１は、嵌合部４５の開口空間の上側の側面４５ａ１に最終的に密着する。光フェルール４７の左側の下段の側面４７ａ２は、嵌合部４５の開口空間の下側の側面４５ａ２に、最終的に密着する。また、光フェルール４７の右側の上段の側面４７ｂ１は、嵌合部４５の開口空間の上側の側面４５ｂ１に最終的に密着する。光フェルール４７の右側の下段の端面４７ｂ２は、嵌合部４５の開口空間の上側の側面４５ｂ２に最終的に密着する。【００３９】
なお、側面４５ａ１，４５ａ２，４５ｂ１，４５ｂ２は斜めに形成され、嵌合部４５の底面４５ｃとは鈍角をなす。また、その角度に対応するように、側面４５ａ１，４５ａ２，４５ｂ１，４５ｂ２の傾斜に合わせ、光フェルール４７の側面４７ａ１，４７ａ２，４７ｂ１，４７ｂ２も斜めに形成されている。また、同様に、斜めに形成された光フェルール４７の先端面４７ａに合わせて、嵌合部４５の奥側面４５ｄも斜めに形成されており、両者は最終的に密着する。この例では、嵌合部４５の側面４５ａ１，４５ａ２，４５ｂ１，４５ｂ２と奥側面４５ｄとが、光フェルール４７を光素子６に対して水平方向に位置合わせをする基準面と成している。側面４５ａ１，４５ａ２，４５ｂ１，４５ｂ２が水平面内の横方向の基準面となる。奥側面４５ｄが、水平面内の縦方向の基準面となる。【００４０】
また、光フェルール４７の上段の側面４７ａ１，４７ｂ１の高さＬ３は、嵌合部４５の開口空間の上側の側面４５ａ１，４５ｂ１の高さＬ４よりも大きく形成されている（Ｌ３＞Ｌ４）。嵌合部４５の開口空間の下側の側面４５ａ２，４５ｂ２の高さＬ２は、光フェルール４７の下段の側面４７ａ２，４７ｂ２の高さＬ１よりも大きく形成されている（Ｌ２＞Ｌ１）。このことにより、光フェルール４７を嵌合部４５に挿入した状態においては、光フェルール４７の上面が嵌合部４５の開口から上部に突出する。そして、光フェルール４７の下面と嵌合部４５の底面４５ｃとが間隔を介した状態となる。次に、蓋部１４を閉じると、光フェルール４７が付勢手段１１によって押圧されて嵌合部４５の底面４５ｃと当接した状態で嵌合し、光フェルール４７と光素子６とが位置決めされる。この例のように、光フェルールの嵌合部への挿入方法は、光フェルールと嵌合部の形成態様に応じて、適宜設定される。【００４１】
さらに、蓋部の形状は片開きタイプに限定されるものではない。例えば図７ａ、図７ｂ、図７ｃに示すソケット６０は、収納部６３の上側から蓋部６２を被せるタイプの例である。図７ａのＡ−Ａ断面図を図７ｄに示す。この図に示すように、蓋部６２の内側には、突起形状の付勢手段６１が設けられている。付勢手段６１の厚みは、図の左端側から図の右端側に向かうにつれて厚く（突出量を多く）形成されている。【００４２】
この例においては、図７ａに示すように、蓋部６２を収納部６３の上側に配置する。そして、図７ｂに示すように、蓋部６２を収納部６３より右側にずらした状態で、蓋部６２の対向する両端縁に設けた係止部６５と、収納部６３の対向する両側面に設けた軸部６６とを係合する。その後、図７ｃに示すように、蓋部６２を図の左側にスライド移動させる。そうすると、図の右側に向かうにつれて厚く形成された付勢手段６１によって、収納部６３に収められたモジュール本体２が収納部６３の底面に押しつけられると共に、蓋部６２が収納部６３上に固定される。【００４３】
さらに、付勢手段の形成態様は特に限定されるものではなく、前記実施例のように、複数の付勢手段１１を設けてもよいし、図７ｄに示した例のように、１つの付勢手段６１を設けてもよい。
【産業上の利用可能性】
【００４４】
本発明の光伝送モジュールは、簡単な構造で製造および取り扱いが容易であり、例えば低背化が要求される光通信等の用途にも適用できる。
【図１ａ】
2010095312.tif 000003
【図１ｂ】
2010095312.tif 000004
【図１ｃ】
2010095312.tif 000005
【図２ａ】
2010095312.tif 000006
【図２ｂ】
2010095312.tif 000007
【図３ａ】
2010095312.tif 000008
【図３ｂ】
2010095312.tif 000009
【図３ｃ】
2010095312.tif 000010
【図４】
2010095312.tif 000011
【図５】
2010095312.tif 000012
【図６】
2010095312.tif 000013
【図７ａ】
2010095312.tif 000014
【図７ｂ】
2010095312.tif 000015
【図７ｃ】
2010095312.tif 000016
【図７ｄ】
2010095312.tif 000017
【図８】
2010095312.tif 000018
【国際調査報告】
2010095312.tif 000019
2010095312.tif 000020
2010095312.tif 000021
2010095312.tif 000022